Podtech/llm-jp-corpus-v4-ja_patent huggingface dataset:
(57)【要約】【課題】今までの物干しはほとんど固定式であり、高さが調節できない。雨の日も強風の日も対応できない。だから本体はリモコンで高さが調節できる、高齢者や障害者を含めどんな方でも楽に物干しができ、雨と強風をセンサで感知でき、自動的屋根裏に收納でき、被害は最小限に減少できる自動物干し装置の提供。【解決手段】図１に示すように、主にコンピュータ制御巻き上げ装置、自動ロック装置、ライト、雨センサ、風センサ、リモートコントローラ、ワイヤロープ、２本の物干し竿から構成するもので、２本の物干し竿を別々に昇降できる。雨と強風の日はセンサで感知して、自動的調整をする。【選択図】なし【特許請求の範囲】
【請求項１】
本装置は、図１〜図３に示すように、主にコンピュータ制御巻き上げ下げ装置、自動ロック装置、ライト、雨センサ、風センサ、リモートコントローラ、ワイヤロープ、２本の物干し竿から構成するもので、２本の物干し竿を別々に昇降できる。雨と強風の日はセンサで感知して、自動的調整をする物干し昇降装置。
【請求項２】
前記係り止め手段はマンションのベランタの天井に取り付けできる事を特徴とする請求項１に記載された自動物干し昇降装置。
【請求項３】
前記雨センサは空気の湿度が一定値を越えた場合、雨と判断し、自動的に天井に上昇し、洗濯物が濡れない事を特徴とする請求項１に記載された自動物干し昇降装置。
【請求項４】
前記風センサは風の強弱が一定値に越えた場合、自動的天井に上昇或は下降し、洗濯物が飛ばされない事を特徴とする請求項１に記載された自動物干し昇降装置。
【請求項５】
前記ライトは本体に内蔵して、リモコンで制御できる。夜に洗濯物を取り込むとき、ベランタもはっきり見える事を特徴とする請求項１に記載された自動物干し昇降装置。
【請求項６】
前記コンピュータ制御巻き上げ装置は一定の高度に達すると自動的に止まる事を特徴とする請求項１に記載された自動物干し昇降装置。
【発明の詳細な説明】
【発明の詳細な説明】
【技術分野】
【０００１】本発明は、ベランダで使用するコンピュータ制御自動物干しに関するものである。
【背景技術】
【０００２】従来、ほとんどの物干しは固定式、高さが調節できない。ベランダ置タイプは場所をとり、ベランダが狭くなる欠点がある。手すりに取り付けタイプは雨の日に濡れる心配がある、ベランダの天井に取り付けタイプは高さが調節できない、背の低い方が椅子を使って物干しをする時にころんで事故の可能性がある。
【発明が解決しようとする課題】
【０００３】今までの物干しはほとんど固定式であり、高さが調節できない。雨の日も強風の日も対応できない。だから本体はリモコンで高さが調節できる、高齢者や障害者を含めどんな方でも楽に物干しができ、雨と強風をセンサで感知でき、自動的屋根裏に收納でき、被害は最小限に減少できる自動物干し装置の提供。
【課題を解決するための手段】
【０００４】図１に示すように、主にコンピュータ制御巻き上げ装置、自動ロック装置、ライト、雨センサ、風センサ、リモートコントローラ、ワイヤロープ、２本の物干し竿から構成するもので、２本の物干し竿を別々に昇降できる。雨と強風の日はセンサで感知して、自動的調整をする。
【発明を実施するための最良の形態】
【０００５】本装置をベランダに取り付けた状態で、少し離れた場所からリモコンを持ち、本体に向け、使いたい物干し竿に指令を出し、自分が好きな高さまで降下し、洗濯物を干す。また好きな高さまで上昇させ洗濯物を乾し、洗濯物の重量で下がらないよう指定した高さで自動的ロックをする。
【実施例】
【０００６】図１に基づいて実施例を説明する、本体３に電源を入れ、使える状態のまま、少し離れた場所からリモコン９を持ち、もし竿が上に收納のままであったら、本体３にある信号受取窓７に向け、下げのポタン１１を押して、物干し竿１を自分の好きな高さまで降下し、洗濯物を干す。また上げのポタン１１を押して、好きな高さまで上昇させ洗濯物を乾し、洗濯物の重量で下がらないよう指定した高さで自動的ロックをする。
【発明の効果】
【０００７】本発明は、屋根つきのベランダなら、大きさにかかわらず取り付けが可能です。お使いにならないときには、天井に収納できます。ベランダがすっきり、邪魔にならず、ベランダは広く活用できます。主婦および高齢者や障害者の殆どの方がより一層便利に洗濯物を干せる。外出中でも、急に雨が降ったとき、急いで帰って洗濯物を片付けなくても安心です。
【図面の簡単な説明】
【０００８】
【図１】全体を示した図である
【図２】本体３を示した断面図である
【図３】本体４を示した断面図である
【符号の説明】
【０００９】１    物干し竿▲１▼
２    物干し竿▲２▼
３    本体▲１▼
４    本体▲２▼
５    電源コート
６    ワイヤロープ
７    受信窓
８    ライト（内蔵）
９    リモートコントローラ、
１０  送信窓
１１  上げ下げポタン
１２  電源ポタン
１３  ライトポタン
１４  雨と風のセンサ（内蔵）
１５  電動巻上げ、下げ機（コンピュータ制御、自動ロック付）
１６  滑輪
【図１】
2006006862.tif 000002
【図２】
2006006862.tif 000003
【図３】
2006006862.tif 000004
(57)【要約】【課題】つぼ押しを手によって行うことにより、手間がかかっていた。また、素人が行うと押しすぎ等で、かえって悪くしてしまうケースもある。【解決手段】プラスチック等で出来たつぼ押し具本体１になだらかな凸部分３を設け、チタン２または、トルマリン２、磁石２等を凸部分３または、適当な所に配し、凸部分３を設けた反対側にクリップ４等を設け、身体に多少の圧力がかかり、固定できる物、例えばマスク５等に凸部分３の有する方を身体側のつぼの部分に向けて付けられるようにした。【選択図】図１
2006006869.tif 000002
【特許請求の範囲】
【請求項１】
プラスチック等で出来たつぼ押し具本体１になだらかな凸部分３を設け、チタン２または、トルマリン２、磁石２等を凸部分３または、適当な所に配し、凸部分３を設けた反対側にクリップ４等を設け、身体に多少の圧力がかかり、固定できる物、例えばマスク５等に凸部分３の有する方を身体側のつぼの部分に向けて付けられるようにした、つぼ押し具１である。
【請求項２】
なだらかな凸部８を設けた、チタン２または、トルマリン２、磁石２等を、サポーター７等の裏側に直接設けたことにより、手足等に装着する場合にはさらに、手軽に装着できるようにしたつぼ押し具１である。
【発明の詳細な説明】
【技術分野】
【０００１】本発明は、身体に於いて、コリのあるつぼ等を刺激することができることにより、いろいろな症状が改善されることが期待できるつぼ押し具に関する物である。
【背景技術】
【０００２】従来はつぼ押しを手によって行うことにより、手間がかかっていた。また、素人が行うと押しすぎ等で、かえって悪くしてしまうケースもあった。
【発明の開示】
【発明が解決しようとする課題】
【０００３】手押しによる手間と、素人が行うと押しすぎで悪くなるというリスクが存在し、手軽につぼ押しができなかった。
【課題を解決するための手段】
【０００４】上記問題を解決するために、プラスチック等で出来たつぼ押し具本体１になだらかな凸部分３を設け、チタン２または、トルマリン２、磁石２等を凸部分３または、適当な所に配し、凸部分３を設けた反対側にクリップ４等を設け、身体に多少の圧力がかかり、固定できる物、例えばマスク５等に凸部分３の有する方を身体側のつぼの部分に向けて付けられるようにする。
【発明の効果】
【０００５】プラスチック等で出来たつぼ押し具本体１に、なだらかな凸部分３を設け、チタン２または、トルマリン２、磁石２等を凸部分３または、適当な所に配する。また、凸部分３の反対側にクリップ４等を設ける。このつぼ押し具１を使用するときは、身体に多少の圧力がかかり固定できる物、例えばマスク５等に付ける場合には、つぼ押し具１に設けたクリップ４等で、凸部分３の有する方を身体側のつぼの部分に向けて鼻の両脇に当たるところに一つずつ付け、そのマスク５等を装着することにより、鼻の両脇にある、迎香等のつぼ押しの効果と共に、チタン２または、トルマリン２、磁石２等を配したことにより、血流を促進するものである。また、マスク５等に付けるときには、つぼ押しがメインになるので、マスク５等の適当なところに穴６を設けてもよい。さらに、このつぼ押し具１は、クリップ４等で留められるため、適当な位置に移動させることが、簡単に出来るようになっている。またさらに、請求項２では、なだらかな凸部８を設けたチタン２または、トルマリン２、磁石２等を、サポーター７等の裏側に直接設けたことにより、手足等に装着する場合には手軽に装着できるようにしたつぼ押し具である。
【発明を実施するための最良の形態】
【０００６】プラスチック等で出来たつぼ押し具本体１になだらかな凸部分３を設け、チタン２または、トルマリン２、磁石２等を凸部分３または、適当な所に配する。また、凸部分３を設けた反対側にクリップ４等を設ける。このつぼ押し具１を使用するときは、身体に多少の圧力がかかり、固定できる物、例えばマスク５等に、凸部分３の有する方を身体側に向けて、クリップ４等でつぼ押し具１をマスク５等に付け、そのマスク５等を身体に装着するだけである。
【図面の簡単な説明】
【０００７】
【図１】本発明を示した斜視図である
【図２】本発明を示した側面図である
【図３】本発明をマスクに装着したことを示した平面図である
【図４】本発明をマスクに付け、人体に装着したことを示した斜視図である
【図５】本発明の請求項２を示した斜視図である
【符号の説明】
【０００８】１プラスチック等で出来たつぼ押し具本体
２チタンまたは、トルマリン、磁石等
３凸部分
４クリップ等
５マスク等
６穴
７サポーター等
８チタンまたは、トルマリン、磁石等につけた凸部分
【図１】
2006006869.tif 000003
【図２】
2006006869.tif 000004
【図３】
2006006869.tif 000005
【図４】
2006006869.tif 000006
【図５】
2006006869.tif 000007
(57)【要約】【課題】    従来の錠剤包装容器は、服用者は一日の回数分の錠剤を服用したかどうか忘れやすい、確認が難しい。又は特定の服用者がキャップの開く手間が掛かることである。【解決手段】    一日分の錠剤を入れる小ケースを本体容器のキャップの上に付きます。小ケースのキャップは片手で簡単に開くことできるのである。【選択図】    図１
2006006855.tif 000002
【特許請求の範囲】
【請求項１】
容器本体１のキャップ２の上側に定量分の錠剤を入れる蓋付き小ケース３を付設したことを特徴とする商品包装容器。
【請求項２】
前記小ケース３は容器本体のキャップ２と一体化にしたことを特徴とする商品包装容器。
【請求項３】
前記小ケース３はカラー又は透明にしたことを特徴とする商品包装容器。
【請求項４】
前記小ケース３の蓋は凹面４を押し、簡単に開くことを特徴とする商品包装容器。
【発明の詳細な説明】
【技術分野】
【０００１】    本発明は、例えば薬、健康食品の錠剤等を包装する商品包装用容器に関する。
【背景技術】
【０００２】    一般に、薬剤等一つのキャップ付きの包装容器に収容され、販売されている。
【発明の開示】
【発明が解決しようとする課題】
【０００３】  従来の錠剤包装容器では、服用者が一日の錠剤の量を服用したか、どうか、確認できず、本発明は、容器の上に小ケースが付いて、一日の服用量を入れる、日ごとの服用状態が確認のことができるのである。【０００４】  従来の錠剤包装容器では、服用ごとに本体キャップを開ける。老人、片手が不自由、手が震える等の人に手間が掛かる。本発明では、一日一回本体キャップを開ける、後は小ケースのキャップは指で簡単に開けることである。【０００５】  本発明の小ケースキャップは指で簡単に開ける、心臓病、高血圧病等持つ人、ただちに薬を服用することができるのである。
【課題を解決するための手段】
【０００６】  第１の課題を解決するための手段は、本発明の前記の小ケースは容器本体キャップの上側に付きます、すなわち、前記の小ケースと容器本体のキャップ一体化に設けたものである。【０００７】  第２、３の課題を解決するための手段は、前記の小ケースのキャップは、指で簡単に開けることである。
【図１】
2006006855.tif 000003
【手続補正書】
【提出日】平成16年8月7日(2004.8.7)
【手続補正１】
【補正対象書類名】明細書
【補正対象項目名】全文
【補正方法】変更
【補正の内容】
【発明の詳細な説明】
【技術分野】
【０００１】    本発明は、例えば薬、健康食品の錠剤等を包装する商品包装用容器に関する。
【背景技術】
【０００２】    一般に、薬剤等一つのキャップ付きの包装容器に収容され、販売されている。
【発明の開示】
【発明が解決しようとする課題】
【０００３】  従来の錠剤包装容器では、服用者が一日の錠剤の量を服用したか、どうか、確認できず、本発明は、容器の上に小ケースが付いて、一日の服用量を入れる、日ごとの服用状態が確認のことができるのである。【０００４】  従来の錠剤包装容器では、服用ごとに本体キャップを開ける。老人、片手が不自由、手が震える等の人に手間が掛かる。本発明では、一日一回本体キャップを開ける、後は小ケースのキャップは指で簡単に開けることである。【０００５】  本発明の小ケースキャップは指で簡単に開ける、心臓病、高血圧病等持つ人、ただちに薬を服用することができるのである。
【課題を解決するための手段】
【０００６】  第１の課題を解決するための手段は、本発明の前記の小ケースは容器本体キャップの上側に付きます、すなわち、前記の小ケースと容器本体のキャップ一型化に設けたものである。【０００７】  第２、３の課題を解決するための手段は、前記の小ケースのキャップは、指で簡単に開けることである。
【図面の簡単な説明】
【０００８】
【図１】「図１」のように、容器本体キャップ２、すなわち小ケースととも廻し、容器本体１から一日の服用量の薬を取り出し、小ケースの中３に入れます。服用時、凹む部分４を指で持ち上げ、小ケースのキャップが開ける、小ケース３から一回分の薬を取り出します。
(57)【要約】      （修正有）【課題】眉を安全にかつ手軽に整えることが出来るコーム付き眉毛切り鋏を提供する。【解決手段】鋏刃部２，４とコーム３とが共に湾曲形で、かつ上刃部２と下刃部４の交差部に一定の間隔を設けることで上刃部２と下刃部４が交わった際に両刃部が先端から付け根まで同時に交わることができるようにする。さらに、持ち手部を鋏を固定する握部１と下刃部４を動かす押し手部５とに分ける構成にすることで作業の手軽さと確実性を高めることが可能になる。【選択図】図１
2006006858.tif 000002
【特許請求の範囲】
【請求項１】
鋏刃部とコームとが、共に湾曲形であるコーム付き眉毛切り鋏。
【請求項２】
上下刃部の交差部に一定の間隔を設けた請求項１記載のコーム付き眉毛切り鋏。
【請求項３】
持ち手部が、鋏を固定する握部と下刃部を動かす押し手部とに分かれていることを特徴とする請求項１・２記載の眉毛切り鋏。
【発明の詳細な説明】
【発明の詳細な説明】
【０００１】  ［発明の属する技術分野］  本発明は、眉毛をコームで整えながらカットすることが出来るコーム付き眉毛切り鋏に関するものである。
【０００２】  ［従来の技術］  人、又は部位によって毛の流れは違うもので、コーム付き眉毛切り鋏使用の際鋏や顔を上下左右に動かしながらの作業で苦痛である。
【０００３】  ［発明が解決しようとする課題］  しかしながら、鋏、コーム共に直線形で尚且つ鋏の特性において、交差部から狭まることにより、毛には横からの力がかかり逃げやすく処理しにくいという問題点がある。
【０００４】  本発明は、このような従来の問題点を解決しようとするもので、眉を安全にかつ手軽に整えることが出来るコーム付き眉毛切り鋏を提供することができる。
【０００５】  ［課題を解決するための手段］  本発明は、鋏刃部とコームとが共に湾曲形で、上下刃部の交差部に一定の間隔を設けることにより上記課題を解決したものである。また更に、持ち手部が鋏を固定する握部と下刃部を動かす押し手部とに分けた構成をしたものである。
【０００６】  ［発明の実施の形態］  本発明のコーム付き眉毛切り鋏は、図１に示されるように、握部１に続く上刃部２にはコーム３が取り外し可能で、上刃部２コーム３下刃部４は共に湾曲形になっており、下刃部４から続く押し手部５は、上刃部２の付け根より下位置に主軸６によって交差している。また主軸６と押し手部５の交差部にはバネ７が設置されている。
【０００７】  更に、押し手部５の先端にはフック８が設けられており、握部１の背部にはこれを固定するための金具９が設置されている。
【０００８】  次に動作について説明する。まず握部１を握り、コーム３の付いた上刃部２を眉に固定し、押し手部５を人差し指で下方向に押すことにより、それに連なる下刃部４が上刃部２と交わり眉をカットする。この時、上刃部２と下刃部４の付け根に設けた一定の間隔によって上下刃部２・４は先端から付け根まで、同時に交わることができるため、カットされる毛は上下からの力によりスムーズに切断することができる。また主軸６に設けたバネ７により、下刃部４、押し手部５はもとの位置に戻る為、使用時は人差し指一本を動かすだけで作業ができる。更に、未使用時にはフック８を金具９に固定することによって、上下刃部２・４は交わった状態になり安全対策に役立つ。
【０００９】  ［発明の効果］  以上のように、請求項１記載の発明によれば、鋏刃部とコームとが共に湾曲形であるため毛の流れをとらえやすく、請求項２記載の発明によれば、上下刃部の交差部に一定の間隔を設けているため、上下刃部の先端から付け根までが同時に交わり、毛を上下から加わる力によってカットできるので、迅速確実に眉毛を整えることができる。また請求項３記載の発明によれば、持ち手部が握部と押し手部とに分かれた構成となっているため、作業の手軽さと確実性を更に高めることができる。
【図面の簡単な説明】
【図１】本発明に係るコーム付き眉毛切り鋏の構成を示す外観図である。
【符号の説明】
１・・・握部  ２・・・上刃部  ３・・・コーム  ４・・・下刃部  ５・・・押し手部  ６・・・主軸  ７・・・バネ  ８・・・フック  ９・・・金具
【図１】
2006006858.tif 000003
(57)【要約】【課題】  防水パンの堤防前面との接触面積を増大させて、洗い場側から浴槽側への水の侵入を防ぐことのできる浴槽エプロンを提供する。【解決手段】  洗い場と浴槽設置面との境に凸条の堤防４を有し、この堤防４沿いの洗い場面には堤防の中央部４ｃに向かって水勾配２ａ，２ｂが形成されてなる防水パン１の、堤防４の前面４ｂに下端背面が接するように配置されるエプロン７において、エプロン７の下端縁７ａ，７ｂは、防水パン１の水勾配２ａ，２ｂに沿った略Ｖ字状に形成されている。【選択図】        図２
2006006845.tif 000002
【特許請求の範囲】
【請求項１】
洗い場と浴槽設置面との境に凸条の堤防を有し、該堤防沿いの洗い場面には該堤防の中央部に向かって水勾配が形成されてなる防水パンの、前記堤防の前面に下端背面が接するように配設される浴槽エプロンにおいて、該浴槽エプロンの下端縁は、前記防水パンの洗い場面の水勾配に沿った略Ｖ形状に形成されていることを特徴とする浴槽エプロン。
【発明の詳細な説明】
【技術分野】
【０００１】
本発明は、浴槽の洗い場側に着脱可能に取り付けられる浴槽エプロンに関するものである。
【背景技術】
【０００２】
従来、特許文献１に開示されているように、防水パンに形成された堤防に当接するようにして浴槽のエプロンが取り付けられている。
【特許文献１】実開平５−６０３１号公報
【発明の開示】
【発明が解決しようとする課題】
【０００３】
従来では、洗い場側からの洗い水が浴槽側へ流れる際に、防水パンの堤防と浴槽エプロンの下端との重なり面積が少ないと十分な止水性を確保することができず、そのため浴槽の下部に水が溜まりやすく、カビ，汚れの原因となっていた。
【課題を解決するための手段】
【０００４】
本発明は上記従来の問題点に鑑み案出したものであって、防水パンの堤防とエプロンの下端との重なり面積を大きくして、洗い場側から浴槽側への洗い水の侵入を防ぐことができる浴槽エプロンを提供せんことを目的とし、その請求項１は、洗い場と浴槽設置面との境に凸条の堤防を有し、該堤防沿いの洗い場面には該堤防の中央部に向かって水勾配が形成されてなる防水パンの、前記堤防の前面に下端背面が接するように配設される浴槽エプロンにおいて、該浴槽エプロンの下端縁は、前記防水パンの洗い場面の水勾配に沿った略Ｖ形状に形成されていることである。
【発明の効果】
【０００５】
浴槽エプロンの下端縁は略Ｖ形状に形成されて、防水パンの堤防の前面に下端背面が接するように配設されるため、エプロンの下端背面と防水パンの堤防前面との重なり面積が大となり、洗い場側から浴槽側へ流れる水を確実に止水して、浴槽側へ水が侵入することを良好に防ぐことができるものとなる。
また、洗い場側から見た場合に、防水パンの堤防前面がエプロンの下端で隠されて、堤防前面の見える面積が減り、不自然な感じがなくなり、浴槽エプロンの設置状態の意匠性が向上するものとなる。
【実施例】
【０００６】
以下、本発明の実施例を図面に基づいて説明する。
図１は、浴槽の洗い場側にエプロンを取り付けた状態の側面構成図であり、図２は、図１のエプロンを洗い場側から見た正面構成図である。
【０００７】
なお、防水パンは、図３に斜視図で示すように、洗い場２と、浴槽６を設置する浴槽設置面３間を仕切るように、堤防４が立ち上げ状に一体形成されており、この堤防４の中央部には、凹み状に凹部４ｃが形成されて、この凹部４ｃの洗い場２側には排水口５が形成されている。また、洗い場２には、堤防４の中央部の凹部４ｃに向かって左右側から水勾配面２ａ，２ｂが形成されている。
【０００８】
このような防水パン１の浴槽設置面３上に浴槽６を設置し、図１のように、この浴槽６のフランジ部６ａの下部にエプロン７の上端側を差し込み、エプロン７の下端縁７ａを防水パン１の堤防４の前面４ｂに当接させて設置することができるものである。
なお、堤防４の上面４ａは略水平に形成されている。
【０００９】
このエプロン７は、図４の正面図で示すように、下端中央部には、下方へ突出状に断面Ｌ字状の中央Ｌ部７ｃが形成されており、中央Ｌ部７ｃから左右側に向かって上傾状に下端縁７ａ，７ｂが左右に略Ｖ字状に形成されている。この左右の下端縁７ａ，７ｂの勾配は、前記防水パンの水勾配面２ａ，２ｂの勾配に対応させたものである。
【００１０】
このようなエプロン７を図１のように設置すると、図２の正面構成図で示すように、エプロン７の下端縁７ａ，７ｂは防水パンの堤防４の前面４ｂにその背面を重ね合わせて設置され、堤防の凹部４ｃ内にエプロン７の中央Ｌ部７ｃが配置される。
【００１１】
エプロン７の左右の下端縁７ａ，７ｂは、防水パン１の水勾配面２ａ，２ｂの水勾配に対応した勾配となっているため、エプロンの下端縁７ａ，７ｂの背面が堤防４の前面４ｂと接する面積が大となり、堤防４の前面４ｂが洗い場２側に露出する面積が減るため、設置状態においてスッキリとした意匠性が得られ、しかも、エプロンの下端縁７ａ，７ｂの背面と堤防４の前面４ｂとは重なり合う面積が大であるため、止水材を使用しなくても十分な止水性が確保されることとなり、洗い場２側から流れる洗い水が浴槽設置面３側へ流れ込むことが良好に防がれて、浴槽設置面３に水が侵入することがなく、浴槽設置面３内にカビや汚れが生ずることが少ないものとなる。
【図面の簡単な説明】
【００１２】
【図１】浴槽にエプロンを設置し、エプロンの下端縁を防水パンの堤防の前面に当接させた状態の側面縦断面構成図である。
【図２】図１のエプロンの設置状態を洗い場側から見た正面構成図である。
【図３】防水パンの斜視構成図である。
【図４】エプロンの正面構成図である。
【符号の説明】
【００１３】
１  防水パン
２  洗い場
２ａ，２ｂ  水勾配面
３  浴槽設置面
４  堤防
４ａ  上面
４ｂ  前面
４ｃ  凹部
５  排水口
６  浴槽
７  エプロン
７ａ，７ｂ  下端縁
【図１】
2006006845.tif 000003
【図２】
2006006845.tif 000004
【図３】
2006006845.tif 000005
【図４】
2006006845.tif 000006
(57)【要約】【課題】  空気を浄化する際、水フイルターを活用するが、この水が、汚れ、雑菌等の繁殖、水の交換等、水槽内の清掃作業を必要としていた。【解決手段】  水フイルターの容器を、光を通す袋体の構造にし、袋体内側に光触媒を塗布し雑菌、汚れを殺菌、分解をさせ、一定の温度、湿度の浄化去れた空気を得ることが出来る。【選択図】図１
2006006888.tif 000002
【特許請求の範囲】
【請求項１】
光を通す透明の袋体内側に光触媒を塗付し、袋体内下部に加温用部材と、空気の微細泡を発生させる部材を設け、袋体上部に機密性の有する開閉部材を設ける。
袋体上部一端から浄化された空気を取り出すホースを取り付け、このホースを口元のマスク内に接続した空気の清浄器。
【発明の詳細な説明】
【技術分野】
【０００１】  本発明は、汚染された、汚れた空気を濾過する水フイルターに関する。
【技術背景】
【０００２】    汚染、汚れた空気を浄化、清浄する際、フイルターの目詰まりが一番に問題になる。
【０００３】    この目詰まりを解消する為に、水をフイルターとし活用している。
【０００４】    水フイルターを活用する際、この水が汚れ腐敗する欠点があった。
【０００５】    水フイルターの汚れが早く、絶えず水の交換を余技なくされていた。
【０００６】  水の、汚れの一因の一つに雑菌の繁殖等が有る。
【０００７】    又、水を蓄えている、貯水糟の清掃が必要としていた。
記述したように水の交換、雑菌、腐敗菌の増殖、清掃等の対策が必要としていた為に、空気の浄化に水フイルターを用いるのが出来ずにいた。
水の腐敗防止、水の浄化等の技術として下記のような文献がある。
【特許文献】特開平１０−０７６２９０
【特許文献】特開平０８−１１３６７４
【発明の開示】
【発明が解決しようとする課題】
【０００８】  解決しようとしている問題点は、汚染された空気を水フイルターに通す際この水が汚れ又、雑菌等の繁殖が有り、煤煙、花粉等の、水の汚れ、雑菌、腐敗菌の除去、水槽内の清掃の手数を取り除く事にある。
【課題を解決しようとする課題】
【０００９】  本発明は、袋体内側に光触媒を塗付し水フイルターの雑菌、腐敗菌の増殖を抑え、貯水糟が袋体の為、持ち運びが用意で、清掃が簡単に出来る事を特徴としている。
【発明の効果】
【００１０】  本発明の、空気の清浄器は袋体で有る為、設置場所を選ばず袋体をつり下げて設置が出来、持つ運びが簡単な為に、水の交換清掃が容易に出来る等の利点がある。
又、浄化された一定の温度、湿度の有する空気を直接マスク口元に発生出来る為、空気汚染の花粉，煤煙等で引き起こされる咳、クシャミ等の症状を軽減できる等の特徴を有する。
【発明を実施する為の最良の形態】
【００１１】  袋体を透明、太陽光線、紫外線等を良く通す部材を用いている為、袋体を窓ガラスに吸盤等で吊り下げるだけで光触媒の特徴を有する殺菌、分解の特徴を即する事が出来、袋体内の水の汚れを分解し又、殺菌が出来る。
【実施例１】
【００１２】  図１は、本発明の、空気の清浄器の斜視図であって、袋体下部に加温用部材、空気の気泡を発生出来る部材を挿入した図であり、袋体最上部に吊り下げる為のハトメ孔を設けている。【００１３】  袋体部材をビニール袋とし上部の、気密性を有する開閉部材は、機密性を有する部材で有ればどの様な物でも良く、キャップ構造又は、ビニールチャック等としても良い。【００１４】  空気の気泡を発生させる、部材を既存のエアーストン等の部材を用いても良い。【００１４】  加温用部材を既存のセラミックヒーター等を用いても良い、【００１５】  袋体最上部に、ハトメ孔、吸盤等を設けガラス窓に吸着させ又は、吊り下げ用フックに吊り下げて使用しても良い。【００１６】  袋体上部一端に設けてある浄化された空気を、マスク内口元に導くホースをビニールホース、又は、ビニールチューブとしても良い。
【産業上の利用可能性】
【００１７】  花粉シーズン袋体を肩、腰等に下げて持ち運びが出来、浄化された空気を移動しながら摂取出来る等の特徴もある。【００１８】  近年、住宅の防音、断熱、気密性が優れ、寝室の空気が淀み、呼吸による汚れた空気を一晩中繰り返す摂取する事になる。【００１９】  シックハウス、ハウスダスト、煤煙、花粉等の空気汚染より、引き起こされる、咳、クシャミ、アレルギー性鼻炎その他の症状を、浄化去れた新鮮な外気の、酸素濃度の高い空気を摂取する事により、食い止める事が出来る。【００２０】  冬季間の夜と朝の寒暖の差による、体力の消耗、免疫力低下、乾燥した空気を吸う事により、引き起こされる風邪の症状を、浄化去れた外気の酸素濃度の高い新鮮な、一定の温度、湿度を有する空気を睡眠中体内に無駄なく、取り入れる事により風邪の予防が出来る。【００２１】  浄化去れた酸素濃度の高い外気の新鮮な空気を摂取する事により、肉体の疲労、病中、病後の回復が早い、朝の目覚めが良い等の効果がある。【００２２】  虚弱体質、高齢者の方の、免疫力の低下による、風邪が引きやすい方にこの装置の効果が大きい。【００２３】  袋体の特徴である、持ち運びが簡単に出来、袋体を寝室の寝具の側に吊り下げ、睡眠中浄化された一定の温度，湿度を有する空気を得ることが出来る。【００２４】  袋体内に塗布している、光触媒の効果は、一度紫外線を浴びると、分解殺菌作用が条件によりますが、常温で約５．６時間維持出来ると言うデーターが有ります。【００２５】  日中、この袋体をガラス窓等に吊り下げ、睡眠時に寝具の側に吊り下げて使用できる。【００２６】  上記記述した様に、一定の温度、湿度浄化去れた、新鮮な外気の酸素濃度の高い、空気が得られ、睡眠中マスクを通し無駄なく体内に取り入れることができる。【００２７】  コンパクトに装置の製作が出来る為、車内から、携帯まで、幅広く応用できる。
【図面の簡単な説明】
【００２８】
【図１】本発明の外見斜視図  １  袋体  ２  ヒーター  ３  エアーストン  ４  チャック  ５  ホース  ６  ハトメ孔
【図１】
2006006888.tif 000003
(57)【要約】【課題】安全かつ短時間に玉葱をみじん切りにする玉葱みじん切り器を提供する。【解決手段】本体（１）に碁盤の目状の刃（２）を配したことを特徴とする。【選択図】  図１
2006006885.tif 000002
【特許請求の範囲】
【請求項１】
本体（１）に碁盤の目状の刃（２）を配した玉葱みじん切り器。
【発明の詳細な説明】
【発明の詳細な説明】
【技術分野】
【０００１】  本発明は、安全かつ短時間に玉葱をみじん切りにする玉葱みじん切り器に関するものである。
【背景技術】
【０００２】  従来、玉葱をみじん切りにする場合は、縦横に何度も包丁で切り目を入れて作っていた。
【発明が解決しようとする課題】
【０００３】  そのために、次のような欠点があった。
（イ）縦横に方向を変え何度も包丁を入れるため時間がかかった上、硫酸アリルが飛散するため目が痛くなり涙が出た。
（ロ）大きさを揃えて切るには技術と手間が掛かった。
（ハ）誰にでも簡単にできる切り方ではない。
本発明は、これらの欠点を解決するためになされたものである。
【課題を解決するための手段】
【０００４】  本体（１）に碁盤の目状の刃（２）を配する。
本発明は、以上の構成からなる玉葱みじん切り器である。
【発明を実施するための最良の形態】
【０００５】  以下、本発明の実施の形態について説明する。
（イ）本体（１）に碁盤の目状に刃（２）を配する。
本発明は、以上のような構造をもちこれを使用するときは、皮をむき芯を取り縦半切りにした玉葱を切り口を下におき、上から本発明品をあて円を描くように下に押し切る。
【発明の効果】
【０００６】  短時間で玉葱のみじん切りを作ることができる。また、刃間の大きさに揃った玉葱のみじん切りを作ることができる。
また短時間で玉葱のみじん切りができるため硫酸アリルの飛散が押さえられ目が痛くなりにくい。
また子供や包丁に慣れていない人でも簡単に玉葱のみじん切りができる。
【図面の簡単な説明】
【図１】  本発明の正面図
【図２】  本発明の上面図
【図３】  本発明の断面図
【符号の説明】
（１）本体
（２）刃
【図１】
2006006885.tif 000003
【図２】
2006006885.tif 000004
【図３】
2006006885.tif 000005
(57)【要約】【課題】従来からある大根おろし器は、不定形な大根を握り、その大根を上方から大根おろし器に押しつけて動かせすりおろす、というものであった。さらに、大根を握るのも大根おろし器に押しつけるのも動かすのも同一の手であり、一方の手にのみ負担がかかり大変な作業であった。【解決手段】手に装着する大根おろし器を発明した。【効果】本発明では、一方の手で大根をまな板などに固定し、本発明である大根おろし器をもう一方の手に装着して握り上方から大根に押しつけ動かせ、すりおろすという方法をとる。このため、不定形な大根に比べ安定的に握りやすい形の大根おろし器を片方の手に装着して握り、その大根おろし器の重たさで大根に押しつける力を補填し、さらに両方の手に力を分散できるため、時間と労力をかけずにすりおろすことができる。【選択図】図１
2006006889.tif 000002
【特許請求の範囲】
【請求項１】
手に装着する大根おろし器
【発明の詳細な説明】
【技術分野】
【０００１】本発明は、大根をおろす際に労力と時間をかけずにすりおろせる大根おろし器に関するものである。
【背景技術】
【発明の開示】
【発明が解決しようとする課題】
【０００２】従来からある大根おろし器は、不定形な大根を握り、その大根を上方から大根おろし器に押しつけて動かせすりおろす、というものであった。さらに、大根を握るのも大根おろし器に押しつけるのも動かすのも同一の手であり、一方の手にのみ負担がかかり大変な作業であった。
【課題を解決するための手段】
【０００３】手に装着する大根おろし器を発明した。
【発明の効果】
【０００４】本発明では、一方の手で大根をまな板などに固定し、本発明である大根おろし器をもう一方の手に装着して握り上方から大根に押しつけ動かせ、すりおろすという方法をとる。このため、従来の技術に比べて、不定形な大根に比べ安定的に握りやすい形の大根おろし器を片方の手に装着して握り、その大根おろし器の重たさで大根に押しつける力を補填し、さらに大根をまな板などに固定する手と本発明である大根おろし器を装着する手が別の手であるため、両方の手に力を分散できるので、時間と労力をかけずにすりおろすことができる。
【発明を実施するための最良の形態】
【０００５】プラスチックや金属などで図１、図２、図３、図４、図５、図６のような形に成形する。
【産業上の利用可能性】
【図面の簡単な説明】
【図１】正面図
【図２】背面図
【図３】平面図
【図４】底面図
【図５】左側面図
【図６】右側面図
【符号の説明】
１手に装着するための補助帯
２おろし金部分
【図１】
2006006889.tif 000003
【図２】
2006006889.tif 000004
【図３】
2006006889.tif 000005
【図４】
2006006889.tif 000006
【図５】
2006006889.tif 000007
【図６】
2006006889.tif 000008
(57)【要約】【課題】  暗い場所でも使用できる鏡の製造方法に関する。【解決手段】  鏡の一部を透明もしくはハーフミラーにし、その部分の裏面に白色有機ＥＬ発光素子を装着する。【特許請求の範囲】
【請求項１】
鏡の一部を透明もしくはハーフミラーにし、その部分の裏面に白色有機ＥＬ発光素子を装着する。
【発明の詳細な説明】
【発明の詳細な説明】
【技術分野】
【０００１】  本発明は、暗い場所でも使用できる鏡の製造方法に関する。
【背景技術】
【０００２】  鏡はその本質から、明るい場所で、使用する人の前面から光が当たる事が要される。しかし、マンションのような建物では、窓のある場所は限られてしまう。窓のない場所では、光源が高い所にあるため、使用する人に対して適当でない。それ故に、従来から暗い場所で使用できる鏡の要望がある。その為に蛍光灯や、白熱電球を取り付けた、鏡台が知られている。しかし、この方法はデザイン的に調和しない。また可搬性もない。
【発明者が解決しようとする課題】
【０００３】  本発明者らは、暗い場所でも使用できる鏡に関して鋭意検討した結果、鏡の一部を透明もしくはハーフミラーにし、その部分の裏面に白色有機ＥＬ発光素子を装着することで、可搬性があり、暗い場所でも使用できる鏡を見出して本発明に至ったものである。
【課題を解決するための手段】
【０００４】  本発明は、鏡の一部を透明もしくはハーフミラーにし、その部分の裏面に白色ＥＬ発光素子を装着するこで、構成されていることを特徴とする。
【０００５】  本発明における鏡の大きさと形状は、特に制約されない。大きさは、携帯として、持ち運び可能な大きさでも良いし、据え置き鏡として、大きなものでもよい。また形状は四角、長方形、円形、楕円形、不定形でも良い。
【０００６】  透明もしくはハーフミラーにする形状と、鏡全体に対する割合は特に制約はない。透明もしくはハーフミラーの割合が大きいと、実質的な鏡の部分の割合が小さくなり、実用上に支障をきたす。また小さすぎると有機ＥＬを発光させた時の光の強さが弱くなる。透明もしくはハーフミラーを配置する位置は、左右両方に配置するのが望ましい。片方に配置すると、有機ＥＬを発光させた時に、光が片側からのため、影が生じて、実用上望ましくない。
【０００７】  鏡の一部を透明にした場合は、有機ＥＬの発光した光のロスはほとんどないが、明るい場所での鏡としての大きさが小さくなる。ハーフミラーにした場合は、有機ＥＬの発光した光がハーフミラーを通過する際にロスが生じる。しかし、有機ＥＬを発光させない明るい場所では、ハーフミラー部も鏡として、作用するので、実質的な鏡のサイズが大きくなる。
【０００８】  有機ＥＬ発光素子は、近年著しく発展した発光素子である（Ｗ．Ｅ．ハワード著：日経サイエンス２００４年６月号ページ１８〜２３「どこでもディスプレーを実現する有機ＥＬ」、城戸淳二著：「世界をリードする国内の有機ＥＬ開発」同ページ２４〜２６参照）。透明もしくはハーフミラーの裏面に装着する白色有機ＥＬ発光素子は、低分子有機ＥＬ発光素子もしくは高分子有機ＥＬ発光素子の使用が可能である。コスト、性能及びデザインから考えて、適したものが望ましい。
【０００９】  白色有機ＥＬ発光素子に使用する電源およびパワーサプライ装置は、白色有機ＥＬ発光素子に適したものであれば特に制約はない。電源として、電池を使用すれば、携帯用として、持ち運びが可能になる。据え置き鏡の場合は商用電源の使用が一般的である。
【００１０】  パワーサプライ装置の補助装置として、省電力を目的として、電源を入れた後、一定時間後に電源が切れるようにすることも可能である。
【実施例】
【００１１】  はがきサイズの縦１４２ｍｍ、横１００ｍｍの、縦方向の両辺に端から幅１０ｍｍ、長さ１４２ｍｍの部分に透明な部分を有する鏡で、透明な部分の鏡の裏側に有機白色ＥＬを装着し、パーワーサプライ装置を接続する。この鏡を暗い場所で、有機白色ＥＬを発光させたところ、明るさが、充分で鏡として、要をなした。【００１２】  実施例【００１１】で透明な部分に変えて、ハーフミラーにした鏡を作成し、パーワーサプライ装置を接続する。この鏡を暗い場所で、有機白色ＥＬを発光させたところ、明るさが、充分で鏡として、要をなした。
【発明の効果】
【００１７】  鏡の一部を透明もしくはハーフミラーにし、その部分の裏面に白色有機ＥＬ発光素子を装着することで、暗い場所でも使用でき、かつ持ち運びを可能にする鏡が製造できた。
(57)【要約】      （修正有）【課題】  この発明は、真空掃除機の、回転ブラシ付きノズルの動力を、車輪駆動式にする装置に関するものである。【解決手段】  真空掃除機のノズル４の平たい底に車輪２を付け、円筒型ブラシ１をノズル４に設置し、車輪２と円筒型ブラシ１を歯車３回転するように結合する。車輪２の動力を伝え、円筒型ブラシ１を回転させることで、モーター駆動式のように掃除機の柄やホースに電線を通すこともなく製品が高価とならず、空気圧を利用し回転させるものは回転力が弱かった。またブラシは同一方向しか回転せず、ゴミが掃き上げられにくいという欠点を解決できる装置。【選択図】  図１
2006006887.tif 000002
【特許請求の範囲】
【請求項１】
（イ）真空掃除機の平たいノズルの底に車輪を付ける。
（ロ）円筒型ブラシをノズルに設置する。
（ハ）車輪と円筒型ブラシを歯車で回転するように結合させる。
以上の如く構成された、真空掃除機の車輪駆動式回転ブラシ付きノズル。
【発明の詳細な説明】
【技術分野】
【００１】  この発明は、真空掃除機のノズルの回転ブラシを車輪駆動式にし、ブラシを人力で回転させ、ゴミを掃き上げながら吸い取らせる装置に関するものである。
【背景技術】
【００２】  従来、真空掃除機の回転ブラシ付きノズルには、モーター駆動式と、空気圧を利用し回転させるものがあった。
【発明の開示】
【発明が解決しようとする課題】
【００３】  従来、次のような問題があった。
（イ）  モーター駆動式は、掃除機の柄やホースに電線を通さなければならず、製品が高      価になりがちであった。
（ロ）  空気圧を利用し回転させるものは、回転力が弱く、思うようにゴミが掃き上げら      れないという欠点があった。
（ハ）  それに加えて、どちらもブラシは同一方向にしか回転せず、ゴミが掃き上げられ      にくいという欠点もあった。
本発明は、従来製品に対する、使用者が欠点だと思う点を解決するために発明されたものである。
【課題を解決するための手段】
【００４】  いま、その構成を説明すると、
（イ）真空掃除機の、ノズルの平たい底に車輪を付ける。
（ロ）円筒型ブラシをノズルに設置する。
（ハ）車輪と円筒型ブラシを、歯車で回転するように結合する。
以上のように装置する。
【発明の効果】
【００５】  真空掃除機の回転ブラシ付きノズルを、車輪駆動式にすることにより、モーター駆動のための電線を除去し、かつ、モーター駆動式並みの力を維持したまま、円筒型ブラシを回転させようとするものである。また微量ではあるが、人力でブラシを回転させるため節電にもなる。ノズルの前後により、回転方向は逆回転となり、ゴミを掃き上げやすくなる。また、ノズルを動かす速度を変えることにより円筒型ブラシの回転速度も変わりめりはりが付く。
【発明実施を実施するための最良の形態】
【００６】    以下、本発明の実施の形態について説明する。
まず、ノズル底の車輪が床に接し、ノズルの前後に合わせて回る。同時に歯車が回り円筒型ブラシに動力が伝わる。従って円筒型ブラシがノズルの前後に合わせて回転する。その結果、ゴミ、ホコリ、糸くずなどが、床から掃き上げられ掃除機に吸い取られ易くなる。また、歯車の個数によって決まる回転方向は、どちら向きでもよい。円筒型ブラシは、従来製品と同様ヘラやブラシとヘラの組み合わせでもよい。また、車輪と歯車は、ブラシが適度な速度で回るようにノズルの適当な場所に適当な個数付いていればよい。
【図面の簡単な説明】
【００７】
【図１】      本発明の断面図
【符号の説明】
【００８】        １は円筒型ブラシ
２は車輪
３は歯車
４はノズル
【図１】
2006006887.tif 000003
(57)【要約】      （修正有）【課題】  リング状と円板状の一対の磁石を極性を同方向に組合わせて構成し、Ｎ極を皮膚に接触させることにより、Ｎ極側の収束された磁束のみが皮膚の内部深くまで磁気作用を与え，血行を促進し、痛み、こり、疲労等を解消し、身体の内部から健康を増進する。磁気健康器具の提供。【解決手段】  皮膚に近接又は接着して使用する磁気健康器具であって、リング状の一方の磁石１と円板状の他方の磁石２をそれぞれ軸線方向Ｘ，Ｘ´に磁束密度８００〜２，０００ガウスで着磁された一対の永久磁石から構成される。リング状磁石の中空部内に円板状磁石を両磁石の磁極が同方向になるように配置し、両磁石を薄い樹脂等で一体化するとともに、Ｎ極側の表面にＮ極を示す表示をしたことおよび一体化した両磁石を取付具を有する容器に格納したことを特徴とする。【選択図】図１
2006006883.tif 000002
【特許請求の範囲】
【請求項１】
人体の皮膚に近接又は接着して使用する磁気健康器具であって、リング状の一方の磁石と円板状の他方の磁石をそれぞれ軸線方向に磁束密度８００〜２，０００ガウスで着磁された一対の永久磁石から構成され、リング状磁石の中空部内に円板状磁石を両磁石の磁極が同方向になるように配置し、両磁石を薄い樹脂等で一体化するとともに、Ｎ極側の表面にＮ極を示す表示をしたことを特徴とする磁気健康器具。
【請求項２】
請求項１に記載の磁気健康器具であって、前記磁気健康器具を取付具を有する容器に取付け格納したことを特徴とする。
【発明の詳細な説明】
【技術分野】
【０００１】  この発明は、リング状磁石と円板状磁石との一対の磁石を組合わせて構成する磁気健康器具に関するものである。
【背景技術】
【０００２】  従来から磁気を利用した磁気健康器具（例えば、特許文献１参照）は多く知られている。本発明は、リング状磁石のリング中空内部に円板状磁石を磁極を同方向に組合わせて構成した磁気健康器具である。
【特許文献１】特開平１１−１７８９４０号公報（磁気健康器具）
【発明の開示】
【発明が解決しようとする課題】
【０００３】  従来の磁気健康器具は、リング状磁石のリング内部に板状磁石を極性を逆方向に組合わせたもので、この場合、磁束が隣の磁極に最短距離で流れるため、磁束が皮膚の浅い部分にしか達しなかった。また、その他の各種磁気健康器具でも、皮膚の表面にＳ極の磁束も接するため、十分な磁気効果が得られなかった。
【課題を解決するための手段】
【０００４】  本発明は、前記課題を解決するために、Ｎ極の磁束のみを皮膚の深い部分にまで達するようにしたことを特徴とする磁気健康器具に関するもので、第１発明の磁気健康器具は、Ｎ極を皮膚に近接又は接着して使用する磁気健康器具であって、リング状の一方の磁石と円板状の他方の磁石をそれぞれ軸線方向に磁束密度８００〜２，０００ガウスで着磁された一対の永久磁石から構成され、リング状磁石の中空部内に円板状磁石を両磁石の磁極が同方向になるように配置し、両磁石を薄い樹脂等で一体化するとともにＮ極側の表面にＮ極を示す表示をしたことを特徴とする磁気健康器具である。【０００５】  また、第２発明の磁気健康器具は、請求項１に記載の磁気健康器具であって、前記の一体化された磁気健康器具を取付具を有する容器に格納したことを特徴とする。【０００６】  磁石の磁力線は、Ｎ極からＳ極へ向かうが、前記磁気健康器具のように両磁石の磁極が同方向になるように構成した場合、円板状磁石の磁束はリング状磁石の磁束に収束され、ほぼ直線状態となり、両磁石のＮ極の磁束、磁力線は皮膚の深部に達する。
磁力線が痛み、こり等を解消する理由は必ずしも明確ではないが、Ｎ極の＋（プラス）の拡大エネルギーを持つ磁力線は血液中の水分に接すると水分のクラスターの結合を弱め、イオンが放出され、血液中の水分のｐｈが中性になる。さらに、イオンが血液中の水分の結晶等を破壊し、痛み、こり等の原因である血行不順を解消し、血液をさらさらにすることによって痛み、こり等を解消するものと推定される。
【発明の効果】
【０００７】（１）磁気健康器具が痛み、こり等を解消する理由は、プラスの拡大エネルギーを持つＮ極の磁力線にあると推定されている。リング状の磁石の磁束が円板状の磁石の磁束を直線状の磁束に収束し、皮膚の深部に従来の２倍以上の磁束を作用させる効果がある。また、皮膚に接するのは効果のあるＮ極の磁束のみとなる。
（２）磁気健康器具を取付具を有する容器に格納することにより、ソファ等の背もたれ、車両等の座席背もたれ等に取り付ることができるため皮膚に取付けたりする煩わしさが無くなる。作業または休息中でも意識せずに磁気健康器具を使用できる。また、磁気作用とともに容器の突起部分で指圧効果をも得ることができる。
【発明を実施するための最良の形態】  本発明の実施例を図面に基づいて説明する。
【実施例１】
【０００８】（１）リング状磁石１と円板状磁石２をそれぞれ軸線方向に磁束磁束密度８００〜２，０００ガウスで着磁された一対の磁石から構成される。
（２）リング状磁石１の中空内部に中空内部とほぼ同じ大きさの円板状磁石２を磁極が同極になるように挿入して組合わせる。
（３）組合わせたリング状磁石１と円板状磁石２を薄い樹脂３等で一体化する。
（４）一体化された両磁石のＮ極側の表面に「Ｎ極」等のＮ極を示す表示４をする。
以上から構成される磁気健康器具。
【実施例２】
【０００９】  実施例１に記載の磁気健康器具であって、前記磁気健康器具を格納孔５、ピン、紐等の取付具６および表面に「Ｎ極」等のＮ極を示す表示４を有する容器７にＮ極側を表面に配置格納することを特徴とする。【００１０】  本発明は以上のような構造で、これを使用する場合は、本磁気健康器具のＮ極側を確認し、痛み、こり、疲労等の部位またはこれらに関連するつぼ等の皮膚面に接着する等して使用する。また、実施例２の容器に格納された本磁気健康器具は、座席の背もたれ部のカバー等にＮ極側を人体に近接するように取付けて使用する。
【産業上の利用の可能性】
【００１１】  本磁気健康器具は、リング状と円板状の一対の磁石を極性を同方向に組合わせて構成されており、従来の２倍以上のＮ極のみの磁束、磁力線で皮膚の内部深くまで磁気作用を与え、血行を促進し、痛み、こり、疲労等を解消し、身体内部から健康を増進することを特徴とするもので、産業上の利用の可能性は極めて高いものである。
【図面の簡単な説明】
【図１】本発明の斜視図である。
【図２】本発明の実施例の断面図である。
【図３】本発明の容器に格納した側面図である。
【符号の説明】
１  リング状磁石    ２  円板状磁石      ３  樹脂        ４  Ｎ極を示す表示
５  格納孔          ６  取付具          ７  容器        ｘ、ｘ’軸線
【図１】
2006006883.tif 000003
【図２】
2006006883.tif 000004
【図３】
2006006883.tif 000005